(57)【要約】【課題】  シャワーヘッドを着脱自在に支持する支持具をハンガー本体に組み込んだ後でも容易に分解可能とするシャワーハンガーを提供する。【解決手段】  壁面Ｃに取り付けられるハンガー本体２１と、ハンガー本体２１に収容されシャワーヘッドＤが着脱自在に支持される支持具３１と、支持具３１の両側面に固定される支持板４１，４１とを備え、前記ハンガー本体２１には係合板２５が形成され、この係合板２５には支持板４１，４１に形成された係止爪４６，４６を着脱自在に係止させ、支持具３１及び支持板４１，４１はハンガー本体２１に対し着脱自在に取り付けられるものである。【選択図】  図６
2005282150.tif 000002
【特許請求の範囲】
【請求項１】
壁面に取り付けられるハンガー本体と、ハンガー本体に収容されシャワーヘッドが着脱自在に支持される支持具と、支持具の両側面に固定される支持板とを備え、前記ハンガー本体には係合板が形成され、この係合板には支持板に形成された係止爪を着脱自在に係止させ、支持具及び支持板はハンガー本体に対し着脱自在に取り付けられることを特徴とするシャワーハンガー。
【発明の詳細な説明】
【技術分野】
【０００１】
この発明は、例えば浴室等の壁面に固定され、シャワーヘッドを着脱自在に支持するためのシャワーハンガーに関するものである。
【背景技術】
【０００２】
シャワーハンガーはシャワーヘッドを着脱自在に支持し、浴室，シャワールーム等の壁面に固定され、シャワーヘッドを支持したままの状態でシャワー水を吐水したり、シャワーヘッドを支持した状態から取り出してシャワー水を吐水したりするものである。このようなシャワーハンガーの一つである特許文献１は、シャワーヘッドを支持させた状態のまま使用する際に、使用者の好みに応じてシャワーヘッドの吐水角度を上下方向に変更可能としたものである。
【０００３】
特許文献１のシャワーハンガーは、浴室等の壁面に取り付けられるカバー部材と、このカバー部の内部に枢着されるハンガー中子とから構成されている。カバー部材の中央部には上下方向に貫通した中央口が形成され、この中央口の側面には凹み状の軸孔を有する中子軸ガイド部が形成されている。また、ハンガー中子は両側面に弾力性を有する軸板が一体に形成され、この軸板の上部には中子軸が外方に突出して形成されている。
【０００４】
ハンガー中子をカバー部材に取り付けるには、ハンガー中子の中子軸をカバー部材の底面側から中子軸ガイド部に沿って上方へ移動させる。すると、軸板の弾力性により中子軸は上方に移動し、軸板が軸孔内に取り付けられる。そして、壁面の所定位置に取り付けられたベース板にカバー部材を取り付けることで、シャワーハンガーの取り付けが完了する。
【０００５】
【特許文献１】実公平６−７０９５号
【発明の開示】
【発明が解決しようとする課題】
【０００６】
ところで、シャワーヘッドは故障や破損などにより交換することがあるが、シャワーヘッドやシャワーハンガーのハンガー中子はメーカー毎に寸法や角度が異なるため、メーカーが異なるものを組み合わせて使用すると、シャワーヘッドをシャワーハンガーに掛止させた時にガタついたり、シャワーヘッドがシャワーハンガーから脱落したりする恐れがあった。このような場合、特許文献１のシャワーハンガーでは、ハンガー中子の軸板をガイド部材の軸孔に弾性を利用して取り付けているため、ガイド部材にハンガー中子を一旦組み込んでしまうと分解することができない。そのため、限られた範囲内の商品でしかシャワーヘッドを交換することができず、シャワーヘッドを交換する際の商品選択の自由度が狭いものであった。
【課題を解決するための手段】
【０００７】
この発明は、このような従来の技術に存在する問題点に着目してなされたものであり、その課題は、シャワーヘッドを着脱自在に支持する支持具をハンガー本体に組み込んだ後でも容易に分解可能とするシャワーハンガーを提供することにある。
【０００８】
上記課題を達成するため、本発明のシャワーハンガーは、壁面に取り付けられるハンガー本体と、ハンガー本体に収容されシャワーヘッドが着脱自在に支持される支持具と、支持具の両側面に固定される支持板とを備え、前記ハンガー本体には係合板が形成され、この係合板には支持板に形成された係止爪を着脱自在に係止させ、支持具及び支持板はハンガー本体に対し着脱自在に取り付けられるものである。
【発明の効果】
【０００９】
本発明のシャワーハンガーは、支持具及び支持板をハンガー本体に対し着脱自在としたので、シャワーハンガーを組み立てた後でも容易に分解することができる。また、故障や破損などによりシャワーヘッドを交換する際に、シャワーヘッドと支持具との形状の違いにより不都合が生じないように、支持具をシャワーヘッドに合わせて交換するができる。また、シャワーハンガーの支持具は交換自在であるので、シャワーヘッドをメーカーにとらわれることなく、使用者の好みのものを選ぶことができ、商品選択の自由度が広がるものである。
【発明を実施するための最良の形態】
【００１０】
以下、本発明の実施例を図に基づいて詳細に説明する。
【実施例１】
【００１１】
図１及び図２に示すように、本発明のシャワーハンガーＡはベース部材１に対し固定されるものであり、このベース部材１は複数本、本実施例では２本のビスＢによって浴室等の壁面Ｃに固定される。また、シャワーハンガーＡおよびベース部材１に対し下部から抜止部材１１を結合することで、シャワーハンガーＡはベース部材１から脱落しないようにしている。
【００１２】
図２及び図３に示すように、前記ベース部材１は縦長の薄板状で、合成樹脂材からなり、中央部分には縦方向に間隔を設けて上下２つの貫通孔２，２ａが穿設されており、上側の貫通孔２は丸孔で、下側の貫通孔２ａは縦長としている。そして、このベース部材１は、両貫通孔２，２ａに対し表側からビスＢをそれぞれ挿入して壁面Ｃに螺着することで、壁面Ｃの適宜の高さ位置で固定される。ベース部材１の表面には、底面側から上下方向略中間部に向けて一対の係合体３，３が立設されており、互いの係合体３，３は棒状に形成され、下側の貫通孔２ａの両側に間隔を設けて立設されており、係合体３，３の上部先端には、下部外方向へ向けて広がるテーパー面を備えた係合爪４，４が形成されている。この係合体３，３は棒状で合成樹脂材により形成されているため、横方向から外力が加わると、互いの間隔が狭くなったり広がるように、収縮したり拡開するものである。
【００１３】
前記ベース部材１の背面側は壁面Ｃに対し向かい合うものであり、下側の貫通孔２ａに対し左右両側には、底面から上下方向略中央部に向けて縦長とした縦孔５，５が一対形成されている。また、ベース部材１の左右両端には、底面から上面まで縦方向にレール溝６，６が形成され、互いのレール溝６，６の上下中心部よりやや下部には、水平方向に切欠くことで横溝７，７が形成されている。
【００１４】
前記抜止部材１１はベース部材１と同じく合成樹脂材からなり、図２に示すように、後述するハンガー本体２１に形成された両嵌合溝２８，２８の左右の間隔と略同一寸法である横板部１２と、この横板部１２の後方から上部に立ち上がる立板部１３と、横板部１２の左右両側から上部に立ち上がる一対の係合足１４，１４とを備えている。立板部１３は縦長の薄板状で、その縦方向の長さはベース部材１の両係合体３，３と略同一であり、横方向の長さは両係合体３，３の左右の間隔と略同一である。立板部１３はベース部材１の両係合体３，３の間に挿入されることで、両係合体３，３が内側へ収縮しないようにし、ベース部材１とハンガー本体２１との嵌合状態を維持するものである。前記係合足１４は先端に係合爪１５が形成され、この係合爪１５は前記ベース部材１の横溝６に弾力的に係合することで、抜止部材１１がベース部材１から離脱しないようにしている。
【００１５】
前記シャワーハンガーＡは図６に示すように、前記ベース部材１に嵌合されるハンガー本体２１と、ハンガー本体２１に収容され、シャワーヘッドＤが着脱自在に支持される支持具３１と、この支持具３１の両側面に固定され、ハンガー本体２１に対し着脱自在に装着される一対の支持板４１，４１とから構成されている。ハンガー本体２１は合成樹脂材からなり、前部には上下方向に貫通した開口部２２が形成されており、この開口部２２を囲むように左右両側には側部２３，２３が形成され、底部には両側部２３，２３を繋ぐ底板２４が形成されている。この開口部２２には、上方から挿入されるシャワーヘッドＤを着脱自在に支持するための支持具３１が装着される。
【００１６】
前記ハンガー本体２１の後端部近傍には上方から下方に向かって係合板２５が突出して形成されており、この係合板２５の端部で、側部２３内面にはスライド突起２６が前方へ向かって形成されている。さらに、両側部２３，２３の後端部には係合突起２７，２７が形成されており、この係合突起２７，２７はＴ字型形状を９０°回転させた形状である。
【００１７】
また、ハンガー本体２１はベース部材１と向かい合う背面側の左右両側に、一対の嵌合溝２８，２８が縦軸方向に形成されており、互いの嵌合溝２８，２８の左右の間隔は、前記ベース部材１に形成されたレール溝６の左右の間隔と略同一であり、壁面Ｃに固定されたベース部材１のレール溝６，６に対し、ハンガー本体２１の嵌合溝２８，２８を上部から嵌合させ、下方向にスライドさせることができるものである。また、ハンガー本体２１の両嵌合溝２８，２８の上部で略中央にはストッパー２９が形成され、ベース部材１のレール溝６，６とハンガー本体２１の嵌合溝２８，２８とが嵌合した状態からハンガー本体２１が下方向に移動し、ベース部材１の上端がストッパー２９に当接すると、ハンガー本体２１は下部への移動が阻止され、ベース部材１から抜けることがないようにしている。
【００１８】
前記支持具３１は合成樹脂材からなり、その前面にはシャワーヘッドＤが着脱自在に支持される湾曲形状のアーム３２が形成されている。また、後面の上下両側にはハンガー本体２１内に挿入される挿入板３３，３３ａが形成され、両挿入板３３，３３ａの間には従来から公知の回動機構３４が収容されている。この回動機構３４は、両側に回転軸３５，３５が突出して形成されており、支持具３１がハンガー本体２１に装着された状態では、支持具３１はこの回転軸３５，３５を中心として上下方向に回転自在となるように構成されている。
【００１９】
前記支持板４１は、長方形の一部を斜めに切り欠いた薄板状で、合成樹脂材からなり、その上下方向の長さはハンガー本体２１に形成されたスライド突起２６と底板２４との間隔と略同一である。この支持板４１は一端に第１横板４２及び第２横板４２ａが縦長に突出して形成され、両横板４２，４２ａの間に嵌合溝４３が形成されている。また、各横板４２，４２ａの外側面には係合溝４４が形成されており、この係合溝４４はハンガー本体２１の係合突起２７と同一形状で、Ｔ字型形状を９０°回転させた形状である。さらに、横板４２，４２ａの上方には係止部４５が形成され、この係止部４５の先端には上部外方向に広がるテーパー面を備えた係止爪４６が形成されている。この係止部４５は合成樹脂材から形成されているため、上方向から外力が加わると弾性的に拡開するものである。そして、横板４２，４２ａと反対方向の端部付近には、支持板４１が支持具３１に装着されるための軸孔４７が貫通して形成されている。
【００２０】
上記のシャワーハンガーＡにおいて、支持具３１をハンガー本体２１に装着するには、図６に示すように、まず支持具３１の両側面に横板４２，４２ａが互いに向かい合うように支持板４１，４１を配置させ、回動機構３４に形成されている回転軸３５，３５を各支持板４１，４１の軸孔４７，４７に嵌合させて、支持板４１，４１を支持具３１に固定する。
【００２１】
次に、図７に示すように、ハンガー本体２１の側部２３，２３と支持板４１，４１とが当接するようにして、支持板４１，４１が取り付けられた支持具３１をハンガー本体２１の開口部２２に挿入していく。
【００２２】
すると、支持板４１，４１の上下方向の長さは、ハンガー本体２１に形成されたスライド突起２６と底板２４との間の距離と略同一であるため、図８（ａ）中の矢印の向きに力を加えると支持板４１，４１はスライドしていく。この時、支持板４１の係止爪４６は、スライド突起２６の下部を通過していく際に弾性変形した状態となる。さらに支持板４１，４１をスライドしていくと、図８（ｂ）に示すように、支持板４１，４１の係合溝４４，４４がハンガー本体２１の係合突起２７，２７に係合され、また、各支持板４１，４１の係止合爪４６，４６が、ハンガー本体２１に形成された係合板２５に係止され、支持板４１，４１はハンガー本体２１に装着される。即ち、支持具３１がハンガー本体２１に装着された状態となる。
【００２３】
次に、シャワーハンガーＡを壁面Ｃに取り付けるが、まず図２に示すように、ベース部材２１の背面側を壁面Ｃの適宜の高さ位置に当接させて、ビスＢ，Ｂをそれぞれの貫通孔２，２ａに挿通し、壁面Ｃに螺着する。
【００２４】
ベース部材１は壁面Ｃの表側に露出した状態で固定されており、シャワーハンガーＡをベース部材１に対し上方から嵌合する。この場合、ベース部材１とシャワーハンガーＡとは、レール溝６と嵌合溝２８，４３とが互いに嵌合した状態である。しかも、ベース部材１の各係合体３，３は、支持板４１，４１の第２横板４２ａに対し弾力的に撓んだ状態であり、その先端の係合爪４が図４に示すように第２横板４２ａの上面に係止している。この状態では、ベース部材１のレール溝６とハンガー本体２１の嵌合溝２８及び支持板４１の嵌合溝４３とが嵌合した状態であり、レール溝６の上端はハンガー本体２１のストッパー２９に当接し、それ以上ハンガー本体２１が下部へ移動することはなく、ハンガー本体２１に対し大きな外力が上部から加わることがあっても、ハンガー本体２１はベース部材１から離脱することはない。
【００２５】
さらに、ベース部材１及びシャワーハンガーＡに対し下部から抜止部材１１を装着する。抜止部材１１を装着すると、抜止部材１１の立板部１３はベース部材１の両係合体３，３の間に挿入され、両係合体３，３は内側へ撓むことがなく、シャワーハンガーＡとの係合状態が維持される。また、図５に示すように、抜止部材１１の係合足１４，１４はベース部材１の横溝７に係合した状態であり、抜止部材１１はベース部材１とシャワーハンガーＡとに係合している。
【００２６】
本発明のシャワーハンガーでは、例えば、故障や破損などによりシャワーヘッドを交換する場合に、支持具をシャワーヘッドに合わせて交換することができる。支持具を交換するには、まず、シャワーハンガーＡをベース部材１から取り外すために、抜止部材１１を指で摘み、下方に強く引き抜けば、抜止部材１１はベース部材１及びシャワーハンガーＡから下方へスライドし分離される。次に、シャワーハンガーＡをベース部材１に対し上方へ引き上げれば、シャワーハンガーＡはベース部材１から分離される。そして、支持板４１の係止爪４６とハンガー本体２１の係合板２５との係合を解除して、支持具３１を指で摘み前方へスライドさせれば、支持板４１及び支持具３１はハンガー本体２１から分離される。最後に、支持板４１を支持具３１から取り外せば、シャワーハンガーＡを分解することができる。
【００２７】
その後、交換するシャワーヘッドに適合し、かつ、使用者の好みに応じて選択した支持具を取り付けていく。これは先に示したシャワーハンガーの取り外し手順を逆にして行えばよく、まず交換した支持具３１の両側面に支持板４１を装着し、支持板４１及び支持具３１をハンガー本体２１に取り付ける。即ち支持具３１をハンガー本体２１に取り付ける。そして、シャワーハンガーＡをベース部材１の上方から取り付けた後、抜止部材１をシャワーハンガーＡの下方から挿入すれば、支持具３１の交換が完了する。
【００２８】
このように本発明のシャワーハンガーは、支持具をハンガー本体に対し着脱自在としたので、例えば、長期の使用による機能の低下や故障などでシャワーヘッドを交換した際、シャワーヘッドと支持具との形状の違いによりガタついても、支持具をシャワーヘッドに合わせて交換することができる。また、交換するシャワーヘッドはメーカーにとらわれることなく、使用者の好みのものを選ぶことができ、部品を交換する際の商品選択の自由度が広がるものである。
【図面の簡単な説明】
【００２９】
【図１】本発明のシャワーハンガーが壁面に固定された状態の説明図である。
【図２】シャワーハンガーを壁面に取り付ける状態の説明図である。
【図３】ベース部材の裏面を表す説明図である。
【図４】ベース部材とシャワーハンガーとの嵌合状態を示す説明図である。
【図５】シャワーハンガーが壁面に固定された状態の背面斜視図である。
【図６】シャワーハンガーの分解斜視図である。
【図７】支持具及び支持板をハンガー本体に取り付ける状態の説明図である。
【図８】ハンガー本体と支持板との位置関係を表す説明図で、（ａ）は支持板をシャワーハンガーに装着する前の状態であり、（ｂ）は支持板をシャワーハンガーに装着した状態である。
【符号の説明】
【００３０】
２１  ：ハンガー本体
２３  ：側部
２４  ：底板
２５  ：係合板
２６  ：スライド突起
２７  ：係合突起
３１  ：支持具
４１  ：支持板
４４  ：係合溝
４５  ：係止部
４６  ：係止爪
Ａ    ：シャワーハンガー
Ｃ    ：壁面
Ｄ    ：シャワーヘッド
【図１】
2005282150.tif 000003
【図２】
2005282150.tif 000004
【図３】
2005282150.tif 000005
【図４】
2005282150.tif 000006
【図５】
2005282150.tif 000007
【図６】
2005282150.tif 000008
【図７】
2005282150.tif 000009
【図８】
2005282150.tif 000010